(57)【特許請求の範囲】
【請求項１】
特許文献の請求項に記載されている原材料に関連付けられた用語と、前記用語に該当する原材料と、が対応付けられたデータベースと、
特許情報を取得する取得部と、
前記データベース、および、製品と前記製品に含まれる原材料との対応関係を参照して、前記用語に該当する原材料と前記製品に含まれる原材料とが一致するか否かに基づいて、前記取得した特許情報によって特定される請求項に記載されている用語に該当する原材料を含む製品を抽出する抽出部と
を備えた情報処理システム。
【請求項２】
特許文献の請求項に記載されている原材料に関連付けられた用語と、前記用語に該当する原材料と、が対応付けられたデータベースと、
製品情報を取得する取得部と、
前記データベース、および、製品と前記製品に含まれる原材料との対応関係を参照して、前記製品に含まれる原材料と前記用語に該当する原材料とが一致するか否かに基づいて、前記取得した製品情報によって特定される製品に含まれる原材料に関連付けられた用語が記載されている請求項を抽出する抽出部と
を備えた情報処理システム。
【請求項３】
特許文献の請求項に記載されている原材料に関連付けられた用語と、前記用語に該当する原材料と、が対応付けられたデータベースと、
処方内容を取得し、前記処方内容は原材料を含む、取得部と、
前記データベースを参照して、前記処方内容に含まれる原材料と前記用語に該当する原材料とが一致するか否かに基づいて、前記取得した処方内容に含まれる原材料に関連付けられた用語が記載されている請求項を抽出する抽出部と
を備えた情報処理システム。
【請求項４】
前記抽出部は、前記製品に含まれる原材料に関連付けられた用語のうちの全ての用語または一部の用語が記載されている請求項を抽出する、請求項２に記載の情報処理システム。
【請求項５】
前記抽出部は、前記処方内容に含まれる原材料に関連付けられた用語のうちの全ての用語または一部の用語が記載されている請求項を抽出する、請求項３に記載の情報処理システム。
【請求項６】
前記データベースおよび前記対応関係は、前記原材料の配合量をさらに含み、
前記抽出部は、前記用語に該当する原材料の配合量と前記製品に含まれる原材料の配合量とが一致するか否かにさらに基づいて抽出する、請求項１または２に記載の情報処理システム。
【請求項７】
前記データベースおよび前記処方内容は、前記原材料の配合量をさらに含み、
前記抽出部は、前記処方内容に含まれる原材料の配合量と前記用語に該当する原材料の配合量とが一致するか否かにさらに基づいて抽出する、請求項３に記載の情報処理システム。
【請求項８】
前記データベースおよび前記対応関係は、アイテム分類と容器と適用先と乳化型と剤型と粘度とｐＨとのうちの少なくとも１つの情報をさらに含み、
前記抽出部は、前記請求項についてのアイテム分類と容器と適用先と乳化型と剤型と粘度とｐＨとのうちの少なくとも１つの情報と前記製品についてのアイテム分類と容器と適用先と乳化型と剤型と粘度とｐＨとのうちの少なくとも１つの情報とが一致するか否かにさらに基づいて抽出する、請求項１または２に記載の情報処理システム。
【請求項９】
前記データベースおよび前記処方内容は、アイテム分類と容器と適用先と乳化型と剤型と粘度とｐＨとのうちの少なくとも１つの情報をさらに含み、
前記抽出部は、前記処方内容についてのアイテム分類と容器と適用先と乳化型と剤型と粘度とｐＨとのうちの少なくとも１つの情報と前記請求項についてのアイテム分類と容器と適用先と乳化型と剤型と粘度とｐＨとのうちの少なくとも１つの情報とが一致するか否かにさらに基づいて抽出する、請求項３に記載の情報処理システム。
【請求項１０】
前記製品は、化粧品である、請求項１または２に記載の情報処理システム。
【請求項１１】
前記処方は、化粧品処方である、請求項３に記載の情報処理システム。
【請求項１２】
前記原材料は、ＩＮＣＩ（International Nomenclature of Cosmetic Ingredients）名、ＭＩＤ（Monograph ID）、ＣＡＳ（Chemical Abstracts Service）番号のいずれかによって特定される、請求項１から１１のいずれか一項に記載の情報処理システム。
【請求項１３】
情報処理システムが実行する方法であって、
特許情報または製品情報または処方内容を取得し、前記処方内容は原材料を含む、ステップと、
特許文献の請求項に記載されている原材料に関連付けられた用語と、前記用語に該当する原材料と、が対応付けられたデータベース、および、製品と前記製品に含まれる原材料との対応関係を参照して、前記用語に該当する原材料と前記製品に含まれる原材料とが一致するか否かに基づいて、前記取得した特許情報によって特定される請求項に記載されている用語に該当する原材料を含む製品を抽出する、
あるいは、
前記データベース、および、製品と前記製品に含まれる原材料との対応関係を参照して、前記製品に含まれる原材料と前記用語に該当する原材料とが一致するか否かに基づいて、前記取得した製品情報によって特定される製品に含まれる原材料に関連付けられた用語が記載されている請求項を抽出する、
あるいは、
前記データベースを参照して、前記処方内容に含まれる原材料と前記用語に該当する原材料とが一致するか否かに基づいて、前記取得した処方内容に含まれる原材料に関連付けられた用語が記載されている請求項を抽出する、ステップと
を含む方法。
【請求項１４】
情報処理システムを、
特許情報または製品情報または処方内容を取得し、前記処方内容は原材料を含む、取得部、
特許文献の請求項に記載されている原材料に関連付けられた用語と、前記用語に該当する原材料と、が対応付けられたデータベース、および、製品と前記製品に含まれる原材料との対応関係を参照して、前記用語に該当する原材料と前記製品に含まれる原材料とが一致するか否かに基づいて、前記取得した特許情報によって特定される請求項に記載されている用語に該当する原材料を含む製品を抽出する、
あるいは、
前記データベース、および、製品と前記製品に含まれる原材料との対応関係を参照して、前記製品に含まれる原材料と前記用語に該当する原材料とが一致するか否かに基づいて、前記取得した製品情報によって特定される製品に含まれる原材料に関連付けられた用語が記載されている請求項を抽出する、
あるいは、
前記データベースを参照して、前記処方内容に含まれる原材料と前記用語に該当する原材料とが一致するか否かに基づいて、前記取得した処方内容に含まれる原材料に関連付けられた用語が記載されている請求項を抽出する、抽出部
として機能させるためのプログラム。
【発明の詳細な説明】
【技術分野】
【０００１】
本発明は、情報処理システム、方法、プログラム、および、データ構造に関する。
【背景技術】
【０００２】
従来、他者または自身の特許に関わる種々の調査が行われている。例えば、企業では、新製品の開発時に、他者の特許権を侵害しないかを調査するクリアランス調査が行われている。また、自身の特許権を侵害している製品が市場に出回っていないかの調査が行われている。
【０００３】
このような特許に関わる調査では、例えば、特許庁の特許情報プラットフォーム（非特許文献１）や製品に記載されている成分表示等が利用されている。
【先行技術文献】
【非特許文献】
【０００４】
【非特許文献１】"特許情報プラットフォーム"［online］、［令和１年９月２０日検索］、インターネット＜URL: https://www.j-platpat.inpit.go.jp/＞
【発明の概要】
【発明が解決しようとする課題】
【０００５】
しかしながら、特許文献の請求項には、製品の原材料名がそのまま記載されず、上位概念化もしくは同位概念化された用語が記載されていることがある。そのため、所定の原材料を含む製品に関する特許を調査している者が、製品の原材料名をキーワードとして検索しても、該当する特許文献を抽出することが困難であった。また、このように特許文献の請求項に記載されている用語と製品の原材料名とが異なるため、特許権を侵害している製品を見つけ出すことが困難であった。
【０００６】
そこで、本発明の一実施形態では、特許に関する製品の抽出を容易にすること、または、製品に関する特許の抽出を容易にすることを目的とする。
【課題を解決するための手段】
【０００７】
本発明の一態様は、特許文献の請求項に記載されている原材料に関連付けられた用語と、前記用語に該当する原材料と、が対応付けられたデータベースと、特許情報を取得する取得部と、前記データベース、および、製品と前記製品に含まれる原材料との対応関係に基づいて、前記取得した特許情報によって特定される請求項に記載されている用語に該当する原材料を含む製品を抽出する抽出部と、を備える。
【発明の効果】
【０００８】
本発明によれば、特許に関する製品の抽出を容易にすること、または、製品に関する特許の抽出を容易にすることができる。
【図面の簡単な説明】
【０００９】
【図１】本発明の一実施形態に係る全体の構成図である。
【図２】本発明の一実施形態に係る情報処理システムの機能ブロック図である。
【図３】本発明の一実施形態に係る特許データベースの一例である。
【図４】本発明の一実施形態に係る製品データベースの一例である。
【図５】本発明の一実施形態に係る特許データベース内の情報と製品データベース内の情報との一致率の算出を説明するための図である。
【図６】本発明の一実施形態に係る特許に関する製品を抽出する処理のフローチャートである。
【図７】本発明の一実施形態に係る製品に関する特許を抽出する処理のフローチャートである。
【図８】本発明の一実施形態に係る処方に関する特許を抽出する処理のフローチャートである。
【図９】本発明の一実施形態に係る情報処理システムのハードウェア構成の一例を示すブロック図である。
【発明を実施するための形態】
【００１０】
以下、図面に基づいて本発明の実施の形態を説明する。
【００１１】
なお、本明細書では、主に、特許に関する化粧品を抽出する場合、または、化粧品に関する特許を抽出する場合を一例として説明するが、本発明は、化粧品に限らず任意の製品に適用することができる。
【００１２】
図１は、本発明の一実施形態に係る全体の構成図である。図１に示されるように、情報処理システム１０は、任意のネットワーク３０を介して、１つまたは複数のユーザ端末２０と通信可能に接続されている。以下、それぞれについて説明する。
【００１３】
情報処理システム１０は、ユーザ端末２０からの要求に応じて、特許に関する製品を抽出することができる。また、情報処理システム１０は、ユーザ端末２０からの要求に応じて、製品に関する特許を抽出することができる。情報処理システム１０は、１つまたは複数のコンピュータからなる。また、情報処理システム１０は、任意のネットワーク３０を介して、ユーザ端末２０とデータを送受信することができる。後段で、図２を参照しながら、情報処理システム１０について詳細に説明する。
【００１４】
ユーザ端末２０は、特許に関する製品を抽出したい者、または、製品に関する特許を抽出したい者が利用する端末である。具体的には、ユーザ端末２０は、ユーザ端末２０に入力された要求を、情報処理システム１０へ送信する。また、ユーザ端末２０は、ユーザ端末２０からの要求に応じて抽出された結果（つまり、製品の情報または特許の情報）を、情報処理システム１０から受信してディスプレイ上に表示する。ユーザ端末２０は、パーソナルコンピュータ、タブレット端末、スマートフォン等の任意の端末であってよい。
【００１５】
図２は、本発明の一実施形態に係る情報処理システム１０の機能ブロック図である。図２に示されるように、情報処理システム１０は、取得部１０１と、抽出部１０２と、特許データベース１０３と、製品データベース１０４とを備えることができる。また、情報処理システム１０は、プログラムを実行することで、取得部１０１、抽出部１０２として機能することができる。
【００１６】
なお、情報処理システム１０は、情報処理システム１０の内部にある製品データベース１０４を参照してもよいし、あるいは、情報処理システム１０の外部にある製品データベース１０４を参照してもよい。
【００１７】
取得部１０１は、ユーザ端末２０から、ユーザ端末２０に入力された要求のデータを受信する。以下、＜特許に関する製品を抽出する場合＞と＜製品に関する特許を抽出する場合＞と＜処方に関する特許を抽出する場合＞に分けて説明する。
【００１８】
＜特許に関する製品を抽出する場合＞
取得部１０１は、ユーザ端末２０から、特許情報を取得する。特許情報は、特許権または特許出願を特定するための情報である。例えば、特許情報は、特許番号（登録番号）、特許出願番号、公開番号、公表番号、特許審判番号等である。
【００１９】
＜製品に関する特許を抽出する場合＞
取得部１０１は、ユーザ端末２０から、製品情報を取得する。製品情報は、製品を特定するための情報である。例えば、製品情報は、製品の名称等である。
【００２０】
＜処方に関する特許を抽出する場合＞
本発明の一実施形態では、製品に限らず、処方に関する特許を抽出することもできる。取得部１０１は、ユーザ端末２０から、処方内容を取得する。処方内容は、化粧品等の物を作るために必要な原材料の情報を含む。なお、処方内容は、原材料の量（例えば、化粧品等の物の全体の量（例えば、重量、体積、モル等）に対する、原材料の量の割合）を示す「配合量」の情報を含むこともできる。また、処方内容は、化粧品等の物が属するカテゴリーを示す「アイテム分類」、その物が収められる入れ物を示す「容器」、その物が適用される体の部位を示す「適用先」、その物の乳化状態を示す「乳化型」、その物の形状を示す「剤型」、その物のねばりの度合いを示す「粘度」、その物の水素イオン指数を示す「ｐＨ」の情報を含むこともできる。
【００２１】
抽出部１０２は、取得部１０１が取得した特許情報に基づいて製品を抽出、または、取得部１０１が取得した製品情報または処方内容に基づいて特許を抽出する。抽出部１０２について詳細に説明する前に、特許データベース１０３および製品データベース１０４について説明する。
【００２２】
特許データベース１０３は、特許文献の請求項に記載されている原材料に関連付けられた用語と、その用語に該当する原材料と、が対応付けられたデータベースである。例えば、特許文献は、特許公報、公開特許公報、公表特許公報等である。なお、特許文献は、手続補正書も含む。以下、図３を参照しながら、特許データベース１０３について詳細に説明する。
【００２３】
図３は、本発明の一実施形態に係る特許データベース１０３の一例である。図３に示されるように、特許データベース１０３では、請求項ごとに、"原材料に関連付けられた用語（構成要件ともいう）"と、"その用語に該当する原材料"と、が対応付けられている。例えば、「構成要件」と、「構成要件に該当する原材料（例えば、ＩＮＣＩ、ＭＩＤ、ＣＡＳ等）」と、「配合量」と、の情報が対応付けられて格納されていてもよい。また、「アイテム分類」、「容器」、「適用先」、「乳化型」、「剤型」、「粘度」、「ｐＨ」等の情報が格納されていてもよい。以下、それぞれについて説明する。
【００２４】
「構成要件（つまり、原材料に関連付けられた用語）」は、請求項に記載されている発明を特定するために必要な構成要素である。各請求項に記載されている発明は、物の発明、方法（単純方法ともいう）の発明、物を生産する発明のいずれであってもよい。なお、各請求項には、１つまたは複数の「構成要件」が含まれる。
【００２５】
「構成要件に該当する原材料」は、「構成要件（つまり、原材料に関連付けられた用語）」に該当する原材料を特定するための情報である。例えば、「構成要件に該当する原材料」は、ＩＮＣＩ（International Nomenclature of Cosmetic Ingredients）名、ＭＩＤ（Monograph ID）、ＣＡＳ（Chemical Abstracts Service）番号等である。なお、各「構成要件」には、１つまたは複数の「構成要件に該当する原材料」が対応付けられている。また、各「構成要件」には、構成要件に該当する原材料を特定するための１種類の情報（例えば、ＩＮＣＩのみ）が対応付けられていてもよいし、あるいは、構成要件に該当する原材料を特定するための複数の種類の情報（例えば、ＩＮＣＩとＭＩＤとＣＡＳ）が対応付けられていてもよい。
【００２６】
ここで、「構成要件」と「構成要件に該当する原材料」との関係について説明する。上述したように、各請求項には、１つまたは複数の「構成要件」が含まれる。また、各「構成要件」には、１つまたは複数の「構成要件に該当する原材料」が対応付けられている。例えば、「構成要件に該当する原材料」は、明細書等に記載された内容に基づいて、格納されうる。
【００２７】
「配合量」は、「構成要件（つまり、原材料に関連付けられた用語）」の量を示す。例えば、「配合量」は、請求項に記載されている発明に係る物（あるいは、発明に係る方法で使用される物、発明に係る方法で生産される物）の全体の量（例えば、重量、体積、モル等）に対する、「構成要件（つまり、原材料に関連付けられた用語）」の量の割合である。例えば、明細書等に記載された内容に基づいて、「配合量」の情報が格納されうる。
【００２８】
「アイテム分類」は、請求項に記載されている発明に係る物（あるいは、発明に係る方法で使用される物、発明に係る方法で生産される物）が属するカテゴリー（例えば、その物を用いる目的別に分類したカテゴリー）を示す。例えば、「アイテム分類」は、サンケア、スキンケア等である。例えば、明細書等に記載された内容に基づいて、「アイテム分類」の情報が格納されうる。
【００２９】
「容器」は、請求項に記載されている発明に係る物（あるいは、発明に係る方法で使用される物、発明に係る方法で生産される物）が収められる入れ物を示す。例えば、「容器」は、チューブ、ジャー等である。例えば、明細書等に記載された内容に基づいて、「容器」の情報が格納されうる。
【００３０】
「適用先」は、請求項に記載されている発明に係る物（あるいは、発明に係る方法で使用される物、発明に係る方法で生産される物）が適用される体の部位を示す。例えば、「適用先」は、皮膚、髪、口唇等である。例えば、明細書等に記載された内容に基づいて、「適用先」の情報が格納されうる。
【００３１】
「乳化型」は、請求項に記載されている発明に係る物（あるいは、発明に係る方法で使用される物、発明に係る方法で生産される物）の乳化状態を示す。例えば、「乳化型」は、Ｗ／Ｏ（油中水）、Ｏ／Ｗ（水中油）、水性、油性等である。例えば、明細書等に記載された内容に基づいて、「乳化型」の情報が格納されうる。
【００３２】
「剤型」は、請求項に記載されている発明に係る物（あるいは、発明に係る方法で使用される物、発明に係る方法で生産される物）の形状を示す。例えば、「剤型」は、クリーム、ジェル、固形、化粧水等である。例えば、明細書等に記載された内容に基づいて、「剤型」の情報が格納されうる。
【００３３】
「粘度」は、請求項に記載されている発明に係る物（あるいは、発明に係る方法で使用される物、発明に係る方法で生産される物）のねばりの度合いを示す。例えば、明細書等に記載された内容に基づいて、「粘度」の情報が格納されうる。
【００３４】
「ｐＨ」は、請求項に記載されている発明に係る物（あるいは、発明に係る方法で使用される物、発明に係る方法で生産される物）の水素イオン指数を示す。例えば、明細書等に記載された内容に基づいて、「ｐＨ」の情報が格納されうる。
【００３５】
図２に戻る。製品データベース１０４は、製品と、その製品に含まれる原材料と、が対応付けられたデータベースである。なお、製品は、化粧品に限らず任意の製品であってよい。以下、図４を参照しながら、製品データベース１０４について詳細に説明する。
【００３６】
図４は、本発明の一実施形態に係る製品データベース１０４の一例である。図４に示されるように、製品データベース１０４では、製品ごとに、その製品に含まれる「原材料（例えば、ＩＮＣＩ、ＭＩＤ、ＣＡＳ等）」の情報が格納されている。また、「アイテム分類」、「容器」、「適用先」、「乳化型」、「剤型」、「粘度」、「ｐＨ」等の情報が格納されていてもよい。以下、それぞれについて説明する。
【００３７】
「原材料」は、製品に含まれる原材料を特定するための情報である。例えば、「原材料」は、ＩＮＣＩ（International Nomenclature of Cosmetic Ingredients）名、ＭＩＤ（Monograph ID）、ＣＡＳ（Chemical Abstracts Service）番号等である。なお、各製品には、１つまたは複数の原材料が含まれる。また、各製品には、原材料を特定するための１種類の情報（例えば、ＩＮＣＩのみ）が格納されていてもよいし、あるいは、原材料を特定するための複数の種類の情報（例えば、ＩＮＣＩとＭＩＤとＣＡＳ）が格納されていてもよい。
【００３８】
「アイテム分類」は、製品が属するカテゴリー（例えば、その製品を用いる目的別に分類したカテゴリー）を示す。例えば、「アイテム分類」は、サンケア、スキンケア等である。
【００３９】
「容器」は、製品が収められる入れ物を示す。例えば、「容器」は、チューブ、ジャー等である。
【００４０】
「適用先」は、製品が適用される体の部位を示す。例えば、「適用先」は、皮膚、髪、口唇等である。
【００４１】
「乳化型」は、製品の乳化型を示す。例えば、「乳化型」は、Ｗ／Ｏ（油中水）、Ｏ／Ｗ（水中油）、水性、油性等である。
【００４２】
「剤型」は、製品の形状を示す。例えば、「剤型」は、クリーム、ジェル、固形、化粧水等である。
【００４３】
「粘度」は、製品のねばりの度合いを示す。
【００４４】
「ｐＨ」は、製品の水素イオン指数を示す。
【００４５】
なお、製品データベース１０４には、製品に含まれる「原材料」と、その原材料の「配合量」と、の情報が対応付けられて格納されていてもよい。「配合量」は、「原材料」の量を示す。例えば、「配合量」は、製品の全体の量（例えば、重量、体積、モル等）に対する、「原材料」の量の割合である。
【００４６】
図２の抽出部１０２の説明に戻る。以下、＜特許に関する製品を抽出する場合＞と＜製品に関する特許を抽出する場合＞と＜処方に関する特許を抽出する場合＞に分けて説明する。
【００４７】
＜特許に関する製品を抽出する場合＞
抽出部１０２は、取得部１０１が取得した特許情報によって特定される請求項に記載されている用語に該当する原材料を含む製品を抽出する。
【００４８】
＜＜請求項の特定＞＞
具体的には、抽出部１０２は、取得部１０１が取得した特許情報に基づいて、請求項を特定する。例えば、抽出部１０２は、特許公報が存在する場合には、特許公報に記載されている請求項（例えば、請求項１）を特定する。また、例えば、抽出部１０２は、特許公報が存在しない場合には、公開特許公報または公表特許公報に記載されている請求項（例えば、請求項１）を特定する。また、例えば、抽出部１０２は、特許公報が存在せず手続補正書が提出されている場合には、最後に提出された手続補正書に記載されている請求項（例えば、請求項１）を特定する。
【００４９】
＜＜構成要件の特定＞＞
抽出部１０２は、特許データベース１０３を参照して、特許情報によって特定される請求項に記載されている全ての構成要件を特定する。
【００５０】
＜＜構成要件に該当する原材料の特定＞＞
抽出部１０２は、特許データベース１０３を参照して、特定した各構成要件に該当する全ての原材料を特定する。なお、抽出部１０２は、特許データベース１０３を参照して、特定した各構成要件の「配合量」を特定する構成とすることもできる。また、抽出部１０２は、特許データベース１０３を参照して、特許情報によって特定される請求項の「アイテム分類」と、「容器」と、「適用先」と、「乳化型」と、「剤型」と、「粘度」と、「ｐＨ」とのうちの少なくとも１つを特定する構成とすることもできる。
【００５１】
＜＜一致率の算出＞＞
抽出部１０２は、特許情報によって特定される請求項に記載されている構成要件に該当する原材料と、製品に含まれる原材料と、の一致率を算出する。以下、図５を参照しながら、一致率の算出について詳細に説明する。
【００５２】
図５は、本発明の一実施形態に係る特許データベース１０３内の情報と製品データベース１０４内の情報との一致率の算出を説明するための図である。抽出部１０２は、製品データベース１０４を参照して、構成要件ごとに、その構成要件に該当する原材料のうちの少なくとも１つの原材料が、製品に含まれているか否か（つまり、構成要件に該当する原材料と、製品に含まれる原材料と、が一致するか否か）を判断する。例えば、図５では、抽出部１０２は、構成要件Ａに該当する原材料が製品に含まれている（つまり、一致する）、構成要件Ｂに該当する原材料がその製品に含まれている（つまり、一致する）、構成要件Ｃに該当する原材料がその製品に含まれている（つまり、一致する）、構成要件Ｄに該当する原材料がその製品に含まれていない（つまり、一致しない）、と判断している。
【００５３】
抽出部１０２は、構成要件の「配合量」と、製品に含まれる原材料の「配合量」と、が一致するか否かを判断する構成とすることもできる。
【００５４】
抽出部１０２は、請求項の「アイテム分類」と、「容器」と、「適用先」と、「乳化型」と、「剤型」と、「粘度」と、「ｐＨ」とのうちの少なくとも１つと、製品の「アイテム分類」と、「容器」と、「適用先」と、「乳化型」と、「剤型」と、「粘度」と、「ｐＨ」とのうちの少なくとも１つと、が一致するか否かを判断する構成とすることもできる。
【００５５】
抽出部１０２は、"一致するか否かを判断した数"に対する"一致する数"の割合を、一致率として算出する。具体的には、抽出部１０２は、"全構成要件の個数"に対する"製品の原材料と一致する構成要件の個数"の割合を、一致率として算出する。また、抽出部１０２は、"全構成要件の個数"に対する"製品の原材料および配分量と一致する構成要件の個数"の割合を、一致率として算出する構成とすることもできる。また、抽出部１０２は、「アイテム分類」と、「容器」と、「適用先」と、「乳化型」と、「剤型」と、「粘度」と、「ｐＨ」とのうちの少なくとも１つが一致するか否かも含めて一致率を算出する構成とすることもできる。なお、「構成要件」と、「配分量」と、「アイテム分類」と、「容器」と、「適用先」と、「乳化型」と、「剤型」と、「粘度」と、「ｐＨ」とのそれぞれに重み付けをして一致率を算出する（例えば、「構成要件」が一致する場合には、その他のものが一致する場合よりも一致率が高くなるように算出する）ようにしてもよい。
【００５６】
＜＜ソート＞＞
抽出部１０２は、算出した一致率に基づいて、一致率が高い順あるいは低い順に、製品を並べる。
【００５７】
＜＜結果の出力＞＞
抽出部１０２は、並べた製品のうち、一部の製品（例えば、一致率が高い順の上位の所定の個数の製品）の情報を、ユーザ端末２０へ送信する。例えば、抽出部１０２は、製品の名称等の製品を特定するための情報を、ユーザ端末２０へ送信する。
【００５８】
なお、抽出部１０２は、一致率が１００パーセントである製品（つまり、特許発明の技術的範囲に属する可能性が高い製品）の情報を、ユーザ端末２０へ送信する構成とすることもできる。
【００５９】
＜製品に関する特許を抽出する場合＞
抽出部１０２は、取得部１０１が取得した製品情報によって特定される製品に含まれる原材料に関連付けられた用語が記載されている請求項を抽出する。
【００６０】
＜＜原材料の特定＞＞
具体的には、抽出部１０２は、製品データベース１０４を参照して、製品情報によって特定される製品に含まれる原材料を特定する。なお、抽出部１０２は、製品データベース１０４を参照して、特定した原材料の「配合量」を特定する構成とすることもできる。また、抽出部１０２は、製品データベース１０４を参照して、製品情報によって特定される製品の「アイテム分類」と、「容器」と、「適用先」と、「乳化型」と、「剤型」と、「粘度」と、「ｐＨ」とのうちの少なくとも１つを特定する構成とすることもできる。
【００６１】
＜＜一致率の算出＞＞
抽出部１０２は、製品情報によって特定される製品に含まれる原材料と、請求項に記載されている構成要件に該当する原材料と、の一致率を算出する。
【００６２】
抽出部１０２は、特許データベース１０３を参照して、各請求項の構成要件ごとに、その構成要件に該当する原材料のうちの少なくとも１つの原材料が、製品に含まれているか否か（つまり、製品に含まれる原材料と、構成要件に該当する原材料と、が一致するか否か）を判断する。
【００６３】
抽出部１０２は、製品に含まれる原材料の「配合量」と、構成要件の「配合量」と、が一致するか否かを判断する構成とすることもできる。
【００６４】
抽出部１０２は、製品の「アイテム分類」と、「容器」と、「適用先」と、「乳化型」と、「剤型」と、「粘度」と、「ｐＨ」とのうちの少なくとも１つと、請求項の「アイテム分類」と、「容器」と、「適用先」と、「乳化型」と、「剤型」と、「粘度」と、「ｐＨ」とのうちの少なくとも１つと、が一致するか否かを判断する構成とすることもできる。
【００６５】
抽出部１０２は、"一致するか否かを判断した数"に対する"一致する数"の割合を、一致率として算出する。具体的には、抽出部１０２は、"全構成要件の個数"に対する"製品の原材料と一致する構成要件の個数"の割合を、一致率として算出する。また、抽出部１０２は、"全構成要件の個数"に対する"製品の原材料および配分量と一致する構成要件の個数"の割合を、一致率として算出する構成とすることもできる。また、抽出部１０２は、「アイテム分類」と、「容器」と、「適用先」と、「乳化型」と、「剤型」と、「粘度」と、「ｐＨ」とのうちの少なくとも１つが一致するか否かも含めて一致率を算出する構成とすることもできる。なお、「構成要件」と、「配分量」と、「アイテム分類」と、「容器」と、「適用先」と、「乳化型」と、「剤型」と、「粘度」と、「ｐＨ」とのそれぞれに重み付けをして一致率を算出する（例えば、「構成要件」が一致する場合には、その他のものが一致する場合よりも一致率が高くなるように算出する）ようにしてもよい。
【００６６】
＜＜ソート＞＞
抽出部１０２は、算出した一致率に基づいて、一致率が高い順あるいは低い順に、請求項（つまり、全特許文献の全請求項）を並べる。
【００６７】
なお、抽出部１０２は、算出した一致率に基づいて、一致率が高い順あるいは低い順に、各特許文献の請求項１（つまり、特許権の権利範囲が最も広い請求項）を並べる構成とすることもできる。
【００６８】
＜＜結果の出力＞＞
抽出部１０２は、並べた請求項のうち、一部の請求項（例えば、一致率が高い順の上位の所定の個数の請求項）の情報を、ユーザ端末２０へ送信する。例えば、抽出部１０２は、特許番号および請求項番号等の請求項を特定するための情報を、ユーザ端末２０へ送信する。
【００６９】
なお、抽出部１０２は、並べた請求項１のうち、一部の請求項１（例えば、一致率が高い順の上位の所定の個数の請求項１）の情報を、ユーザ端末２０へ送信する構成とすることもできる。例えば、抽出部１０２は、請求項１が記載されている特許文献を特定するための情報（特許番号等）を、ユーザ端末２０へ送信する。
【００７０】
＜処方に関する特許を抽出する場合＞
抽出部１０２は、取得部１０１が取得した処方内容に含まれる原材料に関連付けられた用語が記載されている請求項を抽出する。
【００７１】
＜＜原材料の特定＞＞
具体的には、抽出部１０２は、処方内容に含まれる原材料を特定する。なお、抽出部１０２は、処方内容に含まれる、原材料の「配合量」を特定する構成とすることもできる。また、抽出部１０２は、処方内容に含まれる、「アイテム分類」と、「容器」と、「適用先」と、「乳化型」と、「剤型」と、「粘度」と、「ｐＨ」とのうちの少なくとも１つを特定する構成とすることもできる。
【００７２】
＜＜一致率の算出＞＞
抽出部１０２は、処方内容に含まれる原材料と、請求項に記載されている構成要件に該当する原材料と、の一致率を算出する。
【００７３】
抽出部１０２は、特許データベース１０３を参照して、各請求項の構成要件ごとに、その構成要件に該当する原材料のうちの少なくとも１つの原材料が、処方内容に含まれているか否か（つまり、処方内容に含まれる原材料と、構成要件に該当する原材料と、が一致するか否か）を判断する。
【００７４】
抽出部１０２は、処方内容の原材料の「配合量」と、構成要件の「配合量」と、が一致するか否かを判断する構成とすることもできる。
【００７５】
抽出部１０２は、処方内容の「アイテム分類」と、「容器」と、「適用先」と、「乳化型」と、「剤型」と、「粘度」と、「ｐＨ」とのうちの少なくとも１つと、請求項の「アイテム分類」と、「容器」と、「適用先」と、「乳化型」と、「剤型」と、「粘度」と、「ｐＨ」とのうちの少なくとも１つと、が一致するか否かを判断する構成とすることもできる。
【００７６】
抽出部１０２は、"一致するか否かを判断した数"に対する"一致する数"の割合を、一致率として算出する。具体的には、抽出部１０２は、"全構成要件の個数"に対する"処方内容の原材料と一致する構成要件の個数"の割合を、一致率として算出する。また、抽出部１０２は、"全構成要件の個数"に対する"処方内容の原材料および配分量と一致する構成要件の個数"の割合を、一致率として算出する構成とすることもできる。また、抽出部１０２は、「アイテム分類」と、「容器」と、「適用先」と、「乳化型」と、「剤型」と、「粘度」と、「ｐＨ」とのうちの少なくとも１つが一致するか否かも含めて一致率を算出する構成とすることもできる。なお、「構成要件」と、「配分量」と、「アイテム分類」と、「容器」と、「適用先」と、「乳化型」と、「剤型」と、「粘度」と、「ｐＨ」とのそれぞれに重み付けをして一致率を算出する（例えば、「構成要件」が一致する場合には、その他のものが一致する場合よりも一致率が高くなるように算出する）ようにしてもよい。
【００７７】
＜＜ソート＞＞
抽出部１０２は、算出した一致率に基づいて、一致率が高い順あるいは低い順に、請求項（つまり、全特許文献の全請求項）を並べる。
【００７８】
なお、抽出部１０２は、算出した一致率に基づいて、一致率が高い順あるいは低い順に、各特許文献の請求項１（つまり、特許権の権利範囲が最も広い請求項）を並べる構成とすることもできる。
【００７９】
＜＜結果の出力＞＞
抽出部１０２は、並べた請求項のうち、一部の請求項（例えば、一致率が高い順の上位の所定の個数の請求項）の情報を、ユーザ端末２０へ送信する。例えば、抽出部１０２は、特許番号および請求項番号等の請求項を特定するための情報を、ユーザ端末２０へ送信する。
【００８０】
なお、抽出部１０２は、並べた請求項１のうち、一部の請求項１（例えば、一致率が高い順の上位の所定の個数の請求項１）の情報を、ユーザ端末２０へ送信する構成とすることもできる。例えば、抽出部１０２は、請求項１が記載されている特許文献を特定するための情報（特許番号等）を、ユーザ端末２０へ送信する。
【００８１】
＜方法＞
以下、＜特許に関する製品を抽出する場合＞と＜製品に関する特許を抽出する場合＞と＜処方に関する特許を抽出する場合＞の各処理について説明する。
【００８２】
図６は、本発明の一実施形態に係る特許に関する製品を抽出する処理のフローチャートである。
【００８３】
ステップ１１（Ｓ１１）において、取得部１０１は、ユーザ端末２０から、特許情報を取得する。
【００８４】
ステップ１２（Ｓ１２）において、抽出部１０２は、Ｓ１１で取得された特許情報に基づいて、請求項を特定する。
【００８５】
ステップ１３（Ｓ１３）において、抽出部１０２は、特許データベース１０３を参照して、Ｓ１２で特定された請求項に記載されている全ての構成要件を特定する。
【００８６】
ステップ１４（Ｓ１４）において、抽出部１０２は、特許データベース１０３を参照して、Ｓ１３で特定された各構成要件に該当する全ての原材料を特定する。
【００８７】
ステップ１５（Ｓ１５）において、抽出部１０２は、Ｓ１４で特定された原材料と、製品に含まれる原材料と、の一致率を算出する。
【００８８】
ステップ１６（Ｓ１６）において、抽出部１０２は、Ｓ１５で算出された一致率に基づいて、製品を並べる。
【００８９】
ステップ１７（Ｓ１７）において、抽出部１０２は、Ｓ１６で並べられた製品のうち、一部の製品（例えば、一致率が高い順の上位の所定の個数の製品）の情報を、ユーザ端末２０へ送信する。
【００９０】
図７は、本発明の一実施形態に係る製品に関する特許を抽出する処理のフローチャートである。
【００９１】
ステップ２１（Ｓ２１）において、取得部１０１は、ユーザ端末２０から、製品情報を取得する。
【００９２】
ステップ２２（Ｓ２２）において、抽出部１０２は、製品データベース１０４を参照して、Ｓ２１で取得された製品情報によって特定される製品に含まれる原材料を特定する。
【００９３】
ステップ２３（Ｓ２３）において、抽出部１０２は、Ｓ２２で特定された原材料と、請求項に記載されている構成要件に該当する原材料と、の一致率を算出する。
【００９４】
ステップ２４（Ｓ２４）において、抽出部１０２は、Ｓ２３で算出された一致率に基づいて、請求項（つまり、全特許文献の全請求項）を並べる。
【００９５】
ステップ２５（Ｓ２５）において、抽出部１０２は、Ｓ２４で並べられた請求項のうち、一部の請求項（例えば、一致率が高い順の上位の所定の個数の請求項）の情報を、ユーザ端末２０へ送信する。
【００９６】
図８は、本発明の一実施形態に係る処方に関する特許を抽出する処理のフローチャートである。
【００９７】
ステップ３１（Ｓ３１）において、取得部１０１は、ユーザ端末２０から、処方内容を取得する。処方内容は、化粧品等の物を作るために必要な原材料の情報を含む。
【００９８】
ステップ３２（Ｓ３２）において、抽出部１０２は、Ｓ３１で取得された処方内容に含まれる原材料を特定する。
【００９９】
ステップ３３（Ｓ３３）において、抽出部１０２は、Ｓ３２で特定された原材料と、請求項に記載されている構成要件に該当する原材料と、の一致率を算出する。
【０１００】
ステップ３４（Ｓ３４）において、抽出部１０２は、Ｓ３３で算出された一致率に基づいて、請求項（つまり、全特許文献の全請求項）を並べる。
【０１０１】
ステップ３５（Ｓ３５）において、抽出部１０２は、Ｓ３４で並べられた請求項のうち、一部の請求項（例えば、一致率が高い順の上位の所定の個数の請求項）の情報を、ユーザ端末２０へ送信する。
【０１０２】
＜効果＞
このように、本発明の一実施形態では、特許発明の技術的範囲に属する可能性が高い製品を容易に抽出することができる。また、本発明の一実施形態では、製品が侵害する可能性が高い特許を容易に抽出することができる。
【０１０３】
＜ハードウェア構成＞
図９は、本発明の一実施形態に係る情報処理システム１０のハードウェア構成の一例を示すブロック図である。情報処理システム１０は、ＣＰＵ（Central Processing Unit）１、ＲＯＭ（Read Only Memory）２、ＲＡＭ（Random Access Memory）３を有する。ＣＰＵ１、ＲＯＭ２、ＲＡＭ３は、いわゆるコンピュータを形成する。
【０１０４】
また、情報処理システム１０は、補助記憶装置４、表示装置５、操作装置６、Ｉ／Ｆ（Interface）装置７、ドライブ装置８を有することができる。なお、情報処理システム１０の各ハードウェアは、バスＢを介して相互に接続されている。
【０１０５】
ＣＰＵ１は、補助記憶装置４にインストールされている各種プログラムを実行する演算デバイスである。
【０１０６】
ＲＯＭ２は、不揮発性メモリである。ＲＯＭ２は、補助記憶装置４にインストールされている各種プログラムをＣＰＵ１が実行するために必要な各種プログラム、データ等を格納する主記憶デバイスとして機能する。具体的には、ＲＯＭ２はＢＩＯＳ（Basic Input/Output System）やＥＦＩ（Extensible Firmware Interface）等のブートプログラム等を格納する、主記憶デバイスとして機能する。
【０１０７】
ＲＡＭ３は、ＤＲＡＭ（Dynamic Random Access Memory）やＳＲＡＭ（Static Random Access Memory）等の揮発性メモリである。ＲＡＭ３は、補助記憶装置４にインストールされている各種プログラムがＣＰＵ１によって実行される際に展開される作業領域を提供する、主記憶デバイスとして機能する。
【０１０８】
補助記憶装置４は、各種プログラムや、各種プログラムが実行される際に用いられる情報を格納する補助記憶デバイスである。
【０１０９】
表示装置５は、情報処理システム１０の内部状態等を表示する表示デバイスである。
【０１１０】
操作装置６は、情報処理システム１０の管理者が情報処理システム１０に対して各種指示を入力する入力デバイスである。
【０１１１】
Ｉ／Ｆ装置７は、ネットワークに接続し、ユーザ端末２０と通信を行うための通信デバイスである。
【０１１２】
ドライブ装置８は記憶媒体９をセットするためのデバイスである。ここでいう記憶媒体９には、ＣＤ−ＲＯＭ、フレキシブルディスク、光磁気ディスク等のように情報を光学的、電気的あるいは磁気的に記録する媒体が含まれる。また、記憶媒体９には、ＥＰＲＯＭ (Erasable Programmable Read Only Memory)、フラッシュメモリ等のように情報を電気的に記録する半導体メモリ等が含まれていてもよい。
【０１１３】
なお、補助記憶装置４にインストールされる各種プログラムは、例えば、配布された記憶媒体９がドライブ装置８にセットされ、該記憶媒体９に記録された各種プログラムがドライブ装置８により読み出されることでインストールされる。あるいは、補助記憶装置４にインストールされる各種プログラムは、Ｉ／Ｆ装置７を介して、ネットワークよりダウンロードされることでインストールされてもよい。
【０１１４】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【０１１５】
１０  情報処理システム
２０  ユーザ端末
３０  ネットワーク
１０１  取得部
１０２  抽出部
１０３  特許データベース
１０４  製品データベース
【要約】      （修正有）【課題】特許に関する製品の抽出を容易にする、または、製品に関する特許の抽出を容易にする。【解決手段】情報処理システム１０は、特許文献の請求項に記載されている原材料に関連付けられた用語と、用語に該当する原材料と、が対応付けられたデータベースと、特許情報を取得する取得部と、データベースおよび製品と製品に含まれる原材料との対応関係に基づいて、取得した特許情報によって特定される請求項に記載されている用語に該当する原材料を含む製品を抽出する抽出部と、を備える。【選択図】図２【図１】
0006694104.tif 000002
【図２】
0006694104.tif 000003
【図３】
0006694104.tif 000004
【図４】
0006694104.tif 000005
【図５】
0006694104.tif 000006
【図６】
0006694104.tif 000007
【図７】
0006694104.tif 000008
【図８】
0006694104.tif 000009
【図９】
0006694104.tif 000010